(57)【要約】【課題】  意匠性を有する間仕切耐力壁であって、構造躯体を損傷させることなく交換可能な間仕切耐力壁構造１を提供する。【解決手段】  間仕切耐力壁構造１は、梁材２の荷重を支える２本の柱材４と、柱材４の間に水平に架設される一対の枠材６と、２本の柱材４及び一対の枠材６の対向面にそれぞれ固定される下地材５ａ，７ａと、２本の柱材４及び一対の枠材６の間に嵌め込まれる耐力意匠パネル８と、耐力意匠パネル８の外周面に固定されるパネル枠９と、を備え、下地材５ａ，７ａは２断面Ｌ字状に形成されており、耐力意匠パネル８を２本の柱材４及び一対の枠材６の間に嵌め込んだときに、パネル枠９は、２本の柱材４及び一対の枠材６からそれぞれ距離を開けて配置され、その側面が突出部５２の側面に当接して、ビス固定される。【選択図】図２
2011111868.tif 000002
【特許請求の範囲】
【請求項１】
建物の天井懐に水平に架設される梁材と、
前記梁材の荷重を支える２本の柱材と、
該２本の柱材の間に水平に架設される上下一対の枠材と、
前記２本の柱材及び前記一対の枠材の互いに向き合う面にそれぞれ固定される下地材と、
外周面にパネル枠を形成するとともに、前記２本の柱材及び前記一対の枠材の間に嵌め込まれる矩形の耐力意匠パネルと、を備え、
前記下地材は前記２本の柱材及び前記一対の枠材に当接してそれぞれ固定される当接部と、該当接部から屈曲して突出する突出部とを有する断面Ｌ字状に形成されており、
前記耐力意匠パネルを前記２本の柱材及び前記一対の枠材の間に嵌め込んだときに、前記パネル枠は、前記２本の柱材及び前記一対の枠材からそれぞれ距離を開けて配置され、その側面が前記突出部の側面に当接して、ビス固定されることを特徴とする間仕切耐力壁構造。
【請求項２】
前記耐力意匠パネルは、木材を格子状に組み合わせたあらわし格子パネルであることを特徴とする請求項１に記載の間仕切耐力壁構造。
【請求項３】
前記下地材は山型鋼であることを特徴とする請求項１又は請求項２に記載の間仕切耐力壁構造。
【請求項４】
前記下地材は断面Ｌ字状に加工された角材であることを特徴とする請求項１又は請求項２に記載の間仕切耐力壁構造。
【請求項５】
前記下地材及び前記パネル枠は、前記耐力意匠パネルの表面よりも内側に凹んで設けられるものであって、前記耐力意匠パネルの表面と概略面一になるように化粧材が嵌め込まれることを特徴とする請求項１から請求項４のいずれかに記載の間仕切耐力壁構造。
【発明の詳細な説明】
【技術分野】
【０００１】
この発明は、例えばあらわし格子などの意匠性を有した間仕切壁であって、建物の荷重を支える耐力壁である間仕切耐力壁構造に関する。
【背景技術】
【０００２】
従来より建物の鉛直荷重及び水平荷重を支えるために間仕切壁を耐力構造にする場合がある。このような間仕切耐力壁としては、例えば、外周縁を囲む枠材と、該枠材の内側で上下方向の荷重を支持する長尺棒状の支持材とで骨組みを形成し、該骨組みの内側であって厚み方向の中間部には、板状の芯材を張った間仕切りパネルを、所定位置に、軸組や床を建て込んだ後に嵌め込み、適宜固定するものが提案されている（特許文献１参照）。
【０００３】
また、耐力壁において、採光や通風を確保するために、複数の開口を設けて意匠性を向上させたものが種々提案されている。例えば、材厚の１／２未満の深さで相欠き加工した木材同士を格子状に組み合わせた状態で、接合面に直交する方向から圧密することを特徴とする面格子耐力壁（特許文献２参照）や縦材と横材のいずれか一方が長尺材からなり、もう一方が複数のピース状の短尺材に分割され、長尺材とピース状短尺材とが交互に繰り返し並べられて、それらを芯材が貫通し、該芯材の両端部に備えられた定着部がネジ機構によって接近方向に締め込まれ、繰り返し並べられた前記長尺材とピース状短尺材とが両側から圧縮締め合わせ状態にされている格子耐力壁（特許文献３）などのように、あらわし格子を用いた格子耐力壁が提案されている。
【先行技術文献】
【特許文献】
【０００４】
【特許文献１】特開２０００−１５４６０５号公報
【特許文献２】特開２００５−３２５６３９号公報
【特許文献３】特開２００６−９７３９６号公報
【発明の概要】
【発明が解決しようとする課題】
【０００５】
しかし、上述のような格子耐力壁は、建物の荷重を受けるために建物の構造躯体を構成する柱や梁に直接固定されるものであるので、例えば地震による破損や経年劣化などの要因で格子耐力壁を交換する場合に、天井や床の内装仕上げ材を取り外すだけでなく、この格子耐力壁が設置された柱や梁などの構造躯体を損傷させながら工事することとなるので問題であった。
【０００６】
そこで、本発明は、意匠性を有する間仕切耐力壁であって、構造躯体を損傷させることなく交換可能な間仕切耐力壁構造を提供することを目的とする。
【課題を解決するための手段】
【０００７】
請求項１に記載の間仕切耐力壁構造は、建物の天井懐に水平に架設される梁材と、前記梁材の荷重を支える２本の柱材と、該２本の柱材の間に水平に架設される上下一対の枠材と、前記２本の柱材及び前記一対の枠材の互いに向き合う面にそれぞれ固定される下地材と、前記２本の柱材及び前記一対の枠材の間に嵌め込まれる矩形の耐力意匠パネルと、該耐力意匠パネルの外周面にそれぞれ固定されるパネル枠と、を備え、前記下地材は前記２本の柱材及び前記一対の枠材に当接してそれぞれ固定される当接部と、該当接部から屈曲して突出する突出部とを有する断面Ｌ字状に形成されており、前記耐力意匠パネルを前記２本の柱材及び前記一対の枠材の間に嵌め込んだときに、前記パネル枠は、前記２本の柱材及び前記一対の枠材からそれぞれ距離を開けて配置され、その側面が前記突出部の側面に当接して、ビス固定されることを特徴としている。
【０００８】
請求項２に記載の間仕切耐力壁構造は、前記耐力意匠パネルは、木材を格子状に組み合わせたあらわし格子パネルであることを特徴としている。
【０００９】
請求項３に記載の間仕切耐力壁構造は、前記下地材は山型鋼であることを特徴としている。
【００１０】
請求項４に記載の間仕切耐力壁構造は、前記下地材は断面Ｌ字状に加工された角材であることを特徴としている。
【００１１】
請求項５に記載の間仕切耐力壁構造は、前記下地材及び前記パネル枠は、前記耐力意匠パネルの表面よりも内側に凹んで設けられるものであって、前記耐力意匠パネルの表面と概略面一になるように化粧材が嵌め込まれることを特徴としている。
【発明の効果】
【００１２】
請求項１に記載の間仕切耐力壁構造によると、外周面にパネル枠が固定された耐力意匠パネルが、建物の構造躯体を形成する梁材及び柱材から独立した構成であり、２本の柱材及び上下一対の枠材の互いに向き合う面に固定されるＬ字状の下地材の突出部の側面に耐力意匠パネルのパネル枠が当接してビス固定されるので、耐力意匠パネルを柱材及び枠材の間に嵌め込んだ状態で簡単に固定することができ、また、簡単に取り外すことができる。しかも、パネル枠は、２本の柱材及び一対の枠材からそれぞれ距離を開けて配置されるので、パネル枠を取り外すときに、枠材にビスなどで固定されている天井パネルや床化粧材などの内装材を剥がす必要もなく、より簡単に耐力意匠パネルを交換することができる。
【００１３】
請求項２に記載の間仕切耐力壁構造によると、耐力意匠パネルは、木材を格子状に組み合わせたあらわし格子パネルであるので、意匠性に優れたものとすることができる。
【００１４】
請求項３に記載の間仕切耐力壁構造によると、下地材は山型鋼であるので、従来から一般的に用いられている建材を用いて簡単に耐力意匠パネルをを固定することができる。
【００１５】
請求項４に記載の間仕切耐力壁構造によると、下地材は断面Ｌ字状に加工された角材であるので、木造の建築物において簡単に耐力意匠パネルを固定することができる。
【００１６】
請求項５に記載の間仕切耐力壁構造によると、下地材及びパネル枠は、耐力意匠パネルの表面よりも内側に凹んで設けられるものであって、耐力意匠パネルの表面と概略面一になるように化粧材が嵌め込まれるので、この化粧材により下地材及びパネル枠の接合部分を隠すことができる。
【図面の簡単な説明】
【００１７】
【図１】第１の実施形態の間仕切耐力壁構造の外観構成を説明する正面図。
【図２】天井パネルの記載を追加した図１のＡ−Ａ断面図。
【図３】図１のＢ−Ｂ断面図。
【図４】柱材及び柱材用下地材の断面形状を説明する断面図。
【図５】枠材及び枠材用下地材の断面形状を説明する省略断面図。
【図６】耐力意匠パネルの構造を説明ずる斜視図。
【図７】耐力意匠パネルの構成を説明する正面図。
【図８】耐力意匠パネルを取り付ける状態を説明する水平断面図。
【図９】耐力意匠パネルを取り付ける状態を説明する一部省略鉛直断面図。
【図１０】化粧材を取り付ける状態を説明する水平断面図。
【図１１】化粧材を取り付ける状態を説明する一部省略鉛直断面図。
【図１２】第２の実施形態の間仕切耐力壁構造に係る耐力意匠パネルの構成を説明する斜視図及びその一部省略拡大図。
【図１３】柱材及び柱材用下地材の断面形状を説明するとともに、耐力意匠パネルを取り付ける工程を説明する水平断面図及びその一部省略拡大図。
【図１４】枠材及び枠材用下地材の断面形状を説明するとともに、耐力意匠パネルを取り付ける工程を説明する鉛直断面図。
【図１５】化粧材を取り付ける状態を説明する一部省略鉛直断面図。
【図１６】化粧材を取り付ける状態を説明する水平断面図。
【発明を実施するための形態】
【００１８】
〔第１の実施形態〕
以下、間仕切耐力壁構造１の第１の実施形態について、図１から図１１を参照しつつ説明する。間仕切耐力壁構造１は、例えば木造住宅等の居住用の建物の間仕切壁として用いられるものであって、住宅の天井懐に水平に架設される梁材２と、住宅の基礎３との間であって、鉛直に立設されて梁材２の荷重を支える２本の柱材４の間に設けられる。なお、本発明の間仕切耐力壁構造１は、梁材２と基礎３との間に設けられるものに限られるものではなく、例えば２階の天井懐に水平に架設される梁材２と２階の床下に架設される梁材２との間に設けられるものであってもよい。
【００１９】
第１の実施形態に係る間仕切耐力壁構造１は、図１から図３に示すように、上述のように梁材２の荷重を支える２本の柱材４と、この２本の柱材４の互いに向き合う面にそれぞれ固定される柱材用下地材５ａと、２本の柱材４の間に水平に架設される上下一対の枠材６と、この一対の枠材６の互いに向き合う面に枠材６の長手方向に沿って設けられる枠材用下地材７ａと、これら２本の柱材４及び一対の枠材６の間に嵌め込まれる矩形の耐力意匠パネル８と、この耐力意匠パネル８の外周面に沿って固定されるパネル枠９と、柱材用下地材５ａとパネル枠９との接合部分及び枠材用下地材７ａとパネル枠９との接合部分に形成される凹み部１０に嵌め込んで固定される化粧材１１と、を備えている。
【００２０】
上下一対の枠材６は、柱材４に伝わった建物構造躯体の荷重を耐力意匠パネル８に伝達する角材である。この上下一対の枠材６のうち上側の枠材６は、図１、及び図５に示すように、天井懐に架設されている梁材２の下方で２本の柱材４の間に架設されており、天井パネル１２の端部がこの上側の枠材６の下面にビスなどにより固定されている。また下側の枠材６は、建物基礎３の上方で２本の柱材４の間に架設されており、床化粧材１３の端部がその上面に固定されている。
【００２１】
柱材用下地材５ａは、図４に示すように、２本の柱材４の互いに向き合う面に当接して固定される当接部５１と、この当接部５１から突出する突出部５２と、により構成される断面Ｌ字状に加工された長手形状の角材であって、それぞれ柱材４の長手方向に沿って下地材固定用ビス１４により固定されている。また、枠材用下地材７ａは、図５に示すように、一対の枠材６の互いに向き合う面に当接する当接部７１と、この当接部７１から突出する突出部７２と、により構成される断面Ｌ字状に加工された長手形状の角材であって、枠材６の長手方向に沿って下地材固定用ビス１４により固定されている。
【００２２】
耐力意匠パネル８は、図６及び図７に示すように、木材を格子状に組み合わせたあらわし格子パネルである。この耐力意匠パネル８は、図６（Ａ）に示すように、縦材８ａと横材８ｂとを互いにその材厚の略２分の１の深さまで相欠き加工しており、この相欠いた溝部８ｃに接着剤を塗布して互いに嵌めあって矩形の格子状に形成する。そして、その四周に、図６（Ｂ）及び図１０に示すように、柱材用下地材５ａ及び枠材用下地材７ａの形状に整合する断面Ｌ字状に形成された長手形状のパネル枠９をあてがって、図７に示すようにパネル枠固定用ビス１５により固定される。このパネル枠９は、図６（Ｃ）及び図８によく示されるように、耐力意匠パネル８を構成する縦材８ａ及び横材８ｂの端部に当接する基部９ａと、この基部９ａから外周方向に突出する先端部９ｂと、により構成されており、基部９ａの幅は縦材８ａ及び横材８ｂの材厚よりもやや細く形成されている。
【００２３】
そして、化粧材１１は、図２及び図３に示すように、耐力意匠パネル８を２本の柱材４及び上下一対の枠材６の間に嵌め込んだときに、柱材用下地材５ａ及び枠材用下地材７ａとパネル枠９との接合部分を覆い隠す平板な化粧木材であって、柱材用下地材５ａ及び枠材用下地材７ａとパネル枠９とにより形成される凹み部１０に収納されて、耐力意匠パネル８の表面と概略面一になるように形成されている。なおここで「概略面一」とは、化粧材１１の収まりなどの都合で耐力意匠パネル８の表面から４ｍｍ程度突出した形状も含まれる。
【００２４】
以上のように構成される間仕切耐力壁構造１を施工する際には、予め工場で耐力意匠パネル８を組み立てて出荷する。このように耐力意匠パネル８は工場で一括して生産されるので、強度性能にばらつきが少なく、常に適正な壁倍率を得ることができる。そして、図８及び図９に示すように、耐力意匠パネル８を２本の柱材４の間であって一対の枠材６の間にはめ込む。このとき、柱材用下地材５ａ及び枠材用下地材７ａと、パネル枠９とは、互いに整合するＬ字状に形成されており、柱材用下地材５ａ及び枠材用下地材７ａの突出部５２、７２と、パネル枠９の先端部９ｂの側面とが当接した状態で意匠パネル用ビス１６により固定される。このように、突出部５２、７２の側面と先端部９ｂの側面とが当接するので施工の際に耐力意匠パネル８の位置決めを容易に行うことができる。また、耐力意匠パネル８を意匠パネル用ビス１６固定する際に壁面の外側から意匠パネル用ビス１６を先端部９ｂに貫通させて突出部５２、７２と固定するので、取付け作業を容易に行うことができる。
【００２５】
耐力意匠パネル８を柱材４及び枠材６の間に嵌め込むと、次に図１０及び図１１に示すように、化粧材１１を柱材用下地材５ａ及びパネル枠９の接合部分及び枠材用下地材７ａ及びパネル枠９の接合部分に形成された凹み部１０に嵌め込む。柱材用下地材５ａ及び枠材用下地材７ａとパネル枠９とを接合した厚さは、耐力意匠パネル８の壁厚よりもやや短くなるように形成されており、化粧材１１は、凹み部１０に嵌め込んだときに、耐力意匠パネル８の表面と化粧材１１の外側の面とが概略面一になるように形成されている。なお「概略面一」は、上述したように、化粧材１１の収まりなどの都合で耐力意匠パネル８の表面から４ｍｍ程度突出した形状も含まれる。なお、凹み部１０と化粧材１１との接合部分にはそれぞれ接着剤が塗布されており、凹み部１０に嵌め込んだ化粧材１１を確実に固定することができる。このように柱材用下地材５ａ及びパネル枠９の接合部分及び枠材用下地材７ａ及びパネル枠９の接合部分を化粧材１１で隠すことにより、より意匠性を高めた間仕切耐力壁構造１とすることができる。また、化粧材１１を取り付けることにより、柱材４が支持する建物構造躯体の荷重を柱材用下地材５ａ及びパネル枠９の接合部分及び枠材用下地材７ａ及びパネル枠９の接合部分のみならず化粧材１１を介しても耐力意匠パネル８に伝えることができるので、この間仕切耐力壁構造１を備えることで建物をより強固なものとすることができる。
【００２６】
例えば地震などで耐力意匠パネル８の一部が破損した場合や経年劣化により耐力意匠パネル８が汚損した場合には、この耐力意匠パネル８を新しいものと交換することになる。このような場合に耐力パネルのみを交換すればよい。具体的に耐力意匠パネル８を取り外す際には、前述の間仕切耐力壁構造１を施工する工程と逆の工程を行えばよい。すなわち、図１０及び図１１に示すように、柱材用下地材５ａ及びパネル枠９の接合部分及び枠材用下地材７ａ及びパネル枠９の接合部分に形成された凹み部１０に嵌め込まれている化粧材１１をこの凹み部１０から剥離させる。そして、図８及び図９に示すように、柱材用下地材５ａ及び枠材用下地材７ａにパネル枠９を固定している意匠パネル用ビス１６を取り外し、耐力意匠パネル８を柱材４及び枠材６の間から引き離す。そして、工場などから出荷されてきた新しい耐力意匠パネル８を前述の間仕切耐力壁構造１を施工する工程にしたがって固定して耐力意匠パネル８の交換を終了する。
【００２７】
このように、間仕切耐力壁構造１は、化粧材１１を剥離させて、意匠パネル用ビス１６を取り外すだけで簡単に、梁材２、枠材６、及び柱材４を傷つけることなく、耐力意匠パネル８を交換することができる。しかも、パネル枠９の先端部９ｂは、枠材６及び柱材４から枠材用下地材７ｂ及び柱材用下地材５ａの分だけ距離を開けて形成されているので、耐力意匠パネル８を取り外す際に、天井パネル１２や床化粧材１３などの内装材に引っ掛かることなく取り外すことができるので、これらの内装材を傷つけることもない。
【００２８】
〔第２の実施形態〕
次に、本発明に係る間仕切耐力壁構造１の第２の実施形態について、図１２から図１６を参照しつつ説明する。なお、第１の実施形態と同様の構成は同一の符号を付して説明を省略する。第２の実施形態に係る間仕切耐力壁構造１は、梁材２の荷重を支える２本の柱材４と、この２本の柱材４の互いに向き合う面にそれぞれ固定される柱材用下地材５ｂと、２本の柱材４の間に水平に架設される上下一対の枠材６と、この一対の枠材６の互いに向き合う面に枠材６の長手方向に沿って設けられる枠材用下地材７ｂと、これら２本の柱材４及び一対の枠材６の間に嵌め込まれる矩形の耐力意匠パネル８と、この耐力意匠パネル８の外周面に沿って固定されるパネル枠９と、柱材用下地材５ｂとパネル枠９との接合部分及び枠材用下地材７ｂとパネル枠９との接合部分に形成される凹み部１０に嵌め込んで固定される化粧材１１と、を備えている。
【００２９】
柱材用下地材５ｂは、図１３に示すように、２本の柱材４の互いに向き合う面に当接する当接部５３と、この当接部５３から屈曲して突出する突出部５４と、により構成される断面Ｌ字状の山型鋼であって、柱材４の長手方向に沿って下地材固定用ビス１４により固定されている。また、枠材用下地材７ｂは、図１４に示すように、一対の枠材６の互いに向き合う面に当接する当接部７３と、この当接部７３から突出する突出部７４と、により構成される山型鋼であって、枠材６の長手方向に沿って下地材固定用ビス１４により固定されている。なお柱材用下地材５ｂ及び枠材用下地材７ｂの断面形状をわかりやすく示すため、図１３においては枠材用下地材７ｂの記載を省略し、図１４においては柱材用下地材５ｂの記載を省略している。
【００３０】
耐力意匠パネル８は、図１２に示すように、木材を格子状に組み合わせたあらわし格子パネルである。そして、この耐力意匠パネル８の外周面には、耐力意匠パネル８の壁厚よりもやや薄い材厚の角材からなるパネル枠９がパネル枠固定用ビス１５により固定されている。
【００３１】
間仕切耐力壁構造１を施工する際には、図１３及び図１４に示すように、工場から出荷された耐力意匠パネル８を２本の柱材４の間であって一対の枠材６の間に嵌め込んで、耐力意匠パネル８の外周面に固定されたパネル枠９と、柱材用下地材５ｂ及び枠材用下地材７ｂの突出部５４、７４の側面と、を当接させる。このときパネル枠９の先端は柱材４及び枠材６からそれぞれ感覚を開けて柱材用下地材５ｂ及び枠材用下地材７ｂの突出部５４、７４の側面に当接される。そして、突出部５４、７４にその長手方向に沿って複数設けられた固定用の孔を挿通する意匠パネル用ビス１６をパネル枠９に打ち込んで固定される。このように、突出部５４、７４の側面からパネル枠９に対して意匠パネル用ビス１６を打ち込むだけで極めて簡単に耐力意匠パネル８を取り付けることができる。また、柱材用下地材５ｂ及び枠材用下地材７ｂは一般的な建材である山型鋼を用いて形成されており、また、パネル枠９はなんら加工しない角材を用いて形成されるので、極めて簡単な構成とすることができる。
【００３２】
そして、耐力意匠パネル８を柱材４及び枠材６の間に嵌め込むと、次に図１５及び図１６に示すように、化粧材１１を柱材用下地材５ｂ及びパネル枠９の接合部分及び枠材用下地材７ｂ及びパネル枠９の接合部分に形成された凹み部１０に嵌め込む。柱材用下地材５ｂ及び枠材用下地材７ｂとパネル枠９とを接合した厚さは、耐力意匠パネル８の壁厚よりもやや短くなるように形成されており、化粧材１１は、凹み部１０に嵌め込んだときに、耐力意匠パネル８の表面と化粧材１１の外側の面とが概略面一になるように形成されている。なお、凹み部１０と化粧材１１との接合部分にはそれぞれ接着剤が塗布されており、凹み部１０に嵌め込んだ化粧材１１を確実に固定することができる。このように化粧材１１により、柱材用下地材５ｂ及びパネル枠９の接合部分及び枠材用下地材７ｂ及びパネル枠９の接合部分を隠すことにより、より意匠性を高めた間仕切耐力壁構造１とすることができる。また、化粧材１１を取り付けることにより、柱材４が支持する建物構造躯体の荷重を柱材用下地材５ｂ及びパネル枠９の接合部分及び枠材用下地材７ｂ及びパネル枠９の接合部分のみならず化粧材１１を介しても耐力意匠パネル８に伝えることができるので、この間仕切耐力壁構造１を備えることで建物をより強固なものとすることができる。
【００３３】
なお、本発明の実施の形態は上述の第１の実施形態及び第２の実施形態に限定されるものではなく、本発明の思想の範囲を逸脱しない範囲で適宜変更することができることは云うまでもない。
【００３４】
第１の実施形態及び第２の実施形態においては、耐力意匠パネル８として木材を組み合わせたあらわし格子パネルを例示したが、所定の壁倍率を確保できる構造のものであればこれに限定されるものではなく、例えば耐力意匠パネル８が、パンチングメタル、パンチングウッド、ガラリパネル、スリットパネルなどであってもよい。
【産業上の利用可能性】
【００３５】
本発明に係る間仕切耐力壁構造１は、例えば木造住宅の間仕切耐力壁として好適に用いることができる。
【符号の説明】
【００３６】
１          間仕切耐力壁構造
２          梁材
４          柱材
５ａ，５ｂ  柱材用下地材（下地材）
６          枠材
７ａ，７ｂ  枠材用下地材（下地材）
８          耐力意匠パネル
９          パネル枠
１１        化粧材
５１，５３，７１，７３  当接部
５２，５４，７２，７４  突出部
【図１】
2011111868.tif 000003
【図２】
2011111868.tif 000004
【図３】
2011111868.tif 000005
【図４】
2011111868.tif 000006
【図５】
2011111868.tif 000007
【図６】
2011111868.tif 000008
【図７】
2011111868.tif 000009
【図８】
2011111868.tif 000010
【図９】
2011111868.tif 000011
【図１０】
2011111868.tif 000012
【図１１】
2011111868.tif 000013
【図１２】
2011111868.tif 000014
【図１３】
2011111868.tif 000015
【図１４】
2011111868.tif 000016
【図１５】
2011111868.tif 000017
【図１６】
2011111868.tif 000018